(57)【要約】  本技術は、受信側の処理の負担を軽減することができるようにするデータ処理装置、及び、データ処理方法に関する。データ処理装置は、物理層フレームに含まれるサブフレームのセルのうち、Nullセルの数を示すNullセル数を含むシグナリングを生成し、シグナリングを、物理層フレームのプリアンブルに含まれるように処理することで、受信側の処理の負担を軽減することができるようにする。本技術は、例えば、ATSC3.0等の放送規格に準拠したデータ伝送に適用することができる。
2017130724.tif 000002
【特許請求の範囲】
【請求項１】
物理層フレームに含まれるサブフレームのセルのうち、Nullセルの数を示すNullセル数を含むシグナリングを生成する生成部と、
前記シグナリングを、前記物理層フレームのプリアンブルに含まれるように処理する処理部と
を備えるデータ処理装置。
【請求項２】
前記Nullセル数は、前記サブフレームの全てのセルの数を示すトータルデータセル数から、前記サブフレームの有効なデータのセルの数を示すアクティブデータセル数を減算することで得られるセル数である
請求項１に記載のデータ処理装置。
【請求項３】
前記シグナリングは、第１の制御情報と、前記第１の制御情報の後に読み出される第２の制御情報を含み、
前記Nullセル数は、前記第１の制御情報又は前記第２の制御情報に含まれる
請求項２に記載のデータ処理装置。
【請求項４】
前記物理層フレームには、１以上のサブフレームが含まれ、
先頭のサブフレームのNullセル数は、前記第１の制御情報に含まれ、
先頭のサブフレーム以外の残りのサブフレームのNullセル数は、前記第２の制御情報に含まれる
請求項３に記載のデータ処理装置。
【請求項５】
前記第１の制御情報は、前記第２の制御情報と比べて、データのサイズが小さく、かつ、よりロバストに伝送される
請求項４に記載のデータ処理装置。
【請求項６】
前記生成部は、前記Nullセル数の代わりに、前記アクティブデータセル数、又は前記Nullセル数の1/2の数を含むシグナリングを生成する
請求項２に記載のデータ処理装置。
【請求項７】
前記物理層フレームは、ATSC(Advanced Television Systems Committee)3.0で規定される物理層フレームであって、
前記第１の制御情報は、ATSC3.0で規定されるL1基本情報（L1-Basic）であり、
前記第２の制御情報は、ATSC3.0で規定されるL1詳細情報（L1-Detail）であり、
前記サブフレームには、当該サブフレームの境界のシンボルであるSBS(Subframe Boundary Symbol)が含まれる
請求項３に記載のデータ処理装置。
【請求項８】
データ処理装置のデータ処理方法において、
前記データ処理装置が、
物理層フレームに含まれるサブフレームのセルのうち、Nullセルの数を示すNullセル数を含むシグナリングを生成し、
前記シグナリングを、前記物理層フレームのプリアンブルに含まれるように処理する
ステップを含むデータ処理方法。
【請求項９】
物理層フレームのプリアンブルに含まれるシグナリングであって、前記物理層フレームに含まれるサブフレームのセルのうち、Nullセルの数を示すNullセル数を含む前記シグナリングを処理する処理部を備える
データ処理装置。
【請求項１０】
前記処理部は、伝送路を介して伝送されてくる受信信号に含まれる、物理層の系列のデータをデコードして、前記シグナリングに含まれる前記Nullセル数を解読する
請求項９に記載のデータ処理装置。
【請求項１１】
前記処理部により解読された前記Nullセル数に応じて有効なデータに対し、周波数方向のデインターリーブを行う周波数デインターリーブ部をさらに備える
請求項１０に記載のデータ処理装置。
【請求項１２】
前記Nullセル数は、前記サブフレームの全てのセルの数を示すトータルデータセル数から、前記サブフレームの有効なデータのセルの数を示すアクティブデータセル数を減算することで得られるセル数である
請求項９に記載のデータ処理装置。
【請求項１３】
前記シグナリングは、第１の制御情報と、前記第１の制御情報の後に読み出される第２の制御情報を含み、
前記Nullセル数は、前記第１の制御情報又は前記第２の制御情報に含まれる
請求項１２に記載のデータ処理装置。
【請求項１４】
前記物理層フレームには、１以上のサブフレームが含まれ、
先頭のサブフレームのNullセル数は、前記第１の制御情報に含まれ、
先頭のサブフレーム以外の残りのサブフレームのNullセル数は、前記第２の制御情報に含まれる
請求項１３に記載のデータ処理装置。
【請求項１５】
前記第１の制御情報は、前記第２の制御情報と比べて、データのサイズが小さく、かつ、よりロバストに伝送される
請求項１４に記載のデータ処理装置。
【請求項１６】
前記シグナリングは、前記Nullセル数の代わりに、前記アクティブデータセル数、又は前記Nullセル数の1/2の数を含み、
前記処理部は、前記アクティブデータセル数、又は前記Nullセル数の1/2の数を含む前記シグナリングを処理する
請求項１２に記載のデータ処理装置。
【請求項１７】
前記物理層フレームは、ATSC3.0で規定される物理層フレームであって、
前記第１の制御情報は、ATSC3.0で規定されるL1基本情報（L1-Basic）であり、
前記第２の制御情報は、ATSC3.0で規定されるL1詳細情報（L1-Detail）であり、
前記サブフレームには、当該サブフレームの境界のシンボルであるSBS(Subframe Boundary Symbol)が含まれる
請求項１３に記載のデータ処理装置。
【請求項１８】
データ処理装置のデータ処理方法において、
前記データ処理装置が、
物理層フレームのプリアンブルに含まれるシグナリングであって、前記物理層フレームに含まれるサブフレームのセルのうち、Nullセルの数を示すNullセル数を含む前記シグナリングを処理する
ステップを含むデータ処理方法。
【発明の詳細な説明】
【技術分野】
【０００１】
本技術は、データ処理装置、及び、データ処理方法に関し、特に、受信側の処理の負担を軽減することができるようにしたデータ処理装置、及び、データ処理方法に関する。
【背景技術】
【０００２】
現在、次世代地上放送規格の１つであるATSC(Advanced Television Systems Committee)3.0の策定が進められている（例えば、非特許文献１参照）。
【先行技術文献】
【非特許文献】
【０００３】
【非特許文献１】ATSC Candidate Standard：Physical Layer Protocol（Doc. S32-230r21 28 September 2015）
【発明の概要】
【発明が解決しようとする課題】
【０００４】
ところで、ATSC3.0等の放送規格では、物理層のシグナリング（L1シグナリング）が規定されており、受信側の受信装置では、このL1シグナリングを用いた復調処理などを行うことになる。一方で、L1シグナリングの記述内容によっては、受信側の受信装置での処理に負担がかかるため、受信側の処理の負担を軽減するための提案が要請されていた。【０００５】
本技術はこのような状況に鑑みてなされたものであり、受信側の処理の負担を軽減することができるようにするものである。
【課題を解決するための手段】
【０００６】
本技術の第１の側面のデータ処理装置は、物理層フレームに含まれるサブフレームのセルのうち、Nullセルの数を示すNullセル数を含むシグナリングを生成する生成部と、前記シグナリングを、前記物理層フレームのプリアンブルに含まれるように処理する処理部とを備えるデータ処理装置である。【０００７】
本技術の第１の側面のデータ処理装置は、独立した装置であってもよいし、１つの装置を構成している内部ブロックであってもよい。また、本技術の第１の側面のデータ処理方法は、上述した本技術の第１の側面のデータ処理装置に対応するデータ処理方法である。【０００８】
本技術の第１の側面のデータ処理装置、及び、データ処理方法においては、物理層フレームに含まれるサブフレームのセルのうち、Nullセルの数を示すNullセル数を含むシグナリングが生成され、前記シグナリングが、前記物理層フレームのプリアンブルに含まれるように処理される。【０００９】
本技術の第２の側面のデータ処理装置は、物理層フレームのプリアンブルに含まれるシグナリングであって、前記物理層フレームに含まれるサブフレームのセルのうち、Nullセルの数を示すNullセル数を含む前記シグナリングを処理する処理部を備えるデータ処理装置である。【００１０】
本技術の第２の側面のデータ処理装置は、独立した装置であってもよいし、１つの装置を構成している内部ブロックであってもよい。また、本技術の第２の側面のデータ処理方法は、上述した本技術の第２の側面のデータ処理装置に対応するデータ処理方法である。【００１１】
本技術の第２の側面のデータ処理装置、及び、データ処理方法においては、物理層フレームのプリアンブルに含まれるシグナリングであって、前記物理層フレームに含まれるサブフレームのセルのうち、Nullセルの数を示すNullセル数を含む前記シグナリングが処理される。
【発明の効果】
【００１２】
本技術の第１の側面、及び、第２の側面によれば、受信側の処理の負担を軽減することができる。【００１３】
なお、ここに記載された効果は必ずしも限定されるものではなく、本開示中に記載されたいずれかの効果であってもよい。
【図面の簡単な説明】
【００１４】
【図１】物理層フレームの構造を示す図である。
【図２】L1基本情報（L1-Basic）のシンタックスの例を示す図である。
【図３】L1詳細情報（L1-Detail）のシンタックスの例を示す図である。
【図４】L1詳細情報（L1-Detail）のシンタックスの例を示す図である。
【図５】L1詳細情報（L1-Detail）のシンタックスの例を示す図である。
【図６】Nullセル数の概要を説明する図である。
【図７】トータルデータセル数の例を示した図である。
【図８】トータルデータセル数の例を示した図である。
【図９】アクティブデータセル数を示した図である。
【図１０】アクティブデータセル数を示した図である。
【図１１】アクティブデータセル数を示した図である。
【図１２】現状の受信側のパラメータ制御部の構成を示す図である。
【図１３】現状のパラメータ制御処理の流れを説明するフローチャートである。
【図１４】本技術を適用した伝送システムの一実施の形態の構成を示す図である。
【図１５】本技術の送信装置の構成例を示す図である。
【図１６】本技術の送信側の変調処理の流れを説明するフローチャートである。
【図１７】本技術の受信装置の構成例を示す図である。
【図１８】本技術の受信側の復調処理の流れを説明するフローチャートである。
【図１９】本技術のL1基本情報（L1-Basic）のシンタックスの例を示す図である。
【図２０】本技術のL1詳細情報（L1-Detail）のシンタックスの例を示す図である。
【図２１】本技術のL1基本情報（L1-Basic）の他のシンタックスの例を示す図である。
【図２２】本技術のL1詳細情報（L1-Detail）の他のシンタックスの例を示す図である。
【図２３】本技術のパラメータ制御部の構成を示す図である。
【図２４】本技術のパラメータ制御処理の流れを説明するフローチャートである。
【図２５】トーンリザベーション（Tone Reservation）の例を示す図である。
【図２６】コンピュータの構成例を示す図である。
【発明を実施するための形態】
【００１５】
以下、図面を参照しながら本技術の実施の形態について説明する。なお、説明は以下の順序で行うものとする。
【００１６】
１．現状の規格の概要
２．本技術の実施の形態
（１）システムの構成
（２）シグナリングの例
（３）パラメータ制御の詳細
３．変形例
４．コンピュータの構成
【００１７】
＜１．現状の規格の概要＞
【００１８】
（物理層フレームの構造）
図１は、物理層フレームの構造を示す図である。図１において、横方向は、時間（Time）を表し、縦方向は、周波数（Frequency）を表している。
【００１９】
例えば、ATSC3.0で規定される物理層フレームは、ブートストラップ（Bootstrap）と、プリアンブル（Preamble）と、１以上のサブフレーム（Subframe）から構成される。物理層フレームは、ミリ秒単位などの所定のフレーム長で構成される。物理層フレームにおいては、ブートストラップとプリアンブルを取得した後に、その後のサブフレームを取得することが可能となる。
【００２０】
ブートストラップは、例えば、DVB-T2(Digital Video Broadcasting - Second Generation Terrestrial)のT2フレームを構成するP1シンボルに対応し、プリアンブルは、例えば、DVB-T2のT2フレームを構成するP2シンボルに対応している。したがって、ブートストラップは、プリアンブルであると言うこともできる。
【００２１】
プリアンブルには、L1基本情報（L1-Basic）やL1詳細情報（L1-Detail）などのL1シグナリングを含めることができる。ここで、L1基本情報とL1詳細情報とを比較すれば、L1基本情報は、200ビット程度のビットから構成されるが、L1詳細情報は、400〜数千ビットから構成される点でそのサイズが異なっている。また、プリアンブルでは、L1基本情報とL1詳細情報がその順に読み出されるため、L1詳細情報よりもL1基本情報のほうが先に読み出される。さらに、L1基本情報は、L1詳細情報と比べて、よりロバスト（ロバストネス）に伝送される点でも異なっている。
【００２２】
サブフレームには、ペイロード（データ）が配置される。物理層フレームにおいて、２以上のサブフレームが含まれる場合には、サブフレームごとに、例えば、FFTサイズやガードインターバル長、パイロットパターンなどの変調パラメータを変更することができる。
【００２３】
（L1基本情報の構造）
図２は、図１のプリアンブルに含まれるL1基本情報（L1-Basic）のシンタックスの例を示す図である。
【００２４】
2ビットのL1B_content_tagは、コンテンツを識別するタグ値を表している。3ビットのL1B_versionは、L1基本情報のバージョンを表している。1ビットのL1B_slt_flagは、SLT(Service Labeling Table)が存在するかどうかを表している。
【００２５】
1ビットのL1B_time_info_flagは、時刻情報が存在するかどうかを表している。2ビットのL1B_paprは、PAPR(Peak to Average Power Reduction)の適用を表している。
【００２６】
1ビットのL1B_frame_length_modeは、フレームモードを表している。L1B_frame_length_mode = 0 の場合、フレームモードは、タイムアラインモードとなる。また、L1B_frame_length_mode = 1 の場合、フレームモードは、シンボルアラインモードとなる。
【００２７】
10ビットのL1B_frame_lengthは、物理層フレームのフレーム長を表している。ただし、このL1B_frame_lengthは、フレームモードが、タイムアラインモードとなる場合にのみ使用され、シンボルアラインモードとなる場合には、未使用とされる。
【００２８】
8ビットのL1B_num_subframesは、物理層フレームに含まれるサブフレームの数を表している。3ビットのL1B_preamble_num_symbolsは、プリアンブルに含まれるOFDMシンボルの数を表している。3ビットのL1B_preamble_reduced_carriersは、プリアンブルで使用されるFFTサイズのキャリアの最大数の減少に応じた制御ユニットの数を表している。
【００２９】
16ビットのL1B_L1_Detail_size_bitsは、L1詳細情報（L1-Detail）のサイズを表している。3ビットのL1B_L1_Detail_fec_typeは、L1詳細情報のFECタイプを表している。2ビットのL1B_L1_Detail_additional_parity_modeは、L1詳細情報の追加パリティモードを表している。19ビットのL1B_L1_Detail_total_cellsは、L1詳細情報のトータルサイズを表している。
【００３０】
1ビットのL1B_First_Sub_mimoは、先頭のサブフレームのMIMO(Multiple Input and Multiple Output)の使用状況を表している。1ビットのL1B_First_Sub_misoは、先頭のサブフレームのMISO(Multiple Input and Single Output)の使用状況を表している。
【００３１】
2ビットのL1B_First_Sub_fft_sizeは、先頭のサブフレームのFFTサイズを表している。3ビットのL1B_First_Sub_reduced_carriersは、先頭のサブフレームで使用されるFFTサイズのキャリアの最大数の減少に応じた制御ユニットの数を表している。4ビットのL1B_First_Sub_guard_intervalは、先頭のサブフレームのガードインターバル長を表している。
【００３２】
13ビットのL1B_First_Sub_excess_samplesは、（先頭の）サブフレームにおいて、ガードインターバル部分に挿入される余分なサンプルの数を表している。ただし、このL1B_First_Sub_excess_samplesは、フレームモードが、タイムアラインモードとなる場合にのみ使用され、シンボルアラインモードとなる場合には、未使用とされる。
【００３３】
11ビットのL1B_First_Sub_num_ofdm_symbolsは、先頭のサブフレームに含まれるOFDMシンボルの数を表している。5ビットのL1B_First_Sub_scattered_pilot_patternは、先頭のサブフレームで使用されているSPパターン（Scattered Pilot Pattern）を表している。3ビットのL1B_First_Sub_scattered_pilot_boostは、SPパターンの大きさを高める値を表している。
【００３４】
1ビットのL1B_First_Sub_sbs_firstと、1ビットのL1B_First_Sub_sbs_lastは、先頭のサブフレームのSBS(Subframe Boundary Symbol)を表している。
【００３５】
L1B_Reservedは、将来の拡張用の領域（Reserved）である。L1B_Reservedのビット数は、未確定（TBD：To Be Determined）であるが、現状では、49ビットとされている。32ビットのL1B_crcは、CRC値が含まれることを表している。
【００３６】
なお、L1基本情報（L1-Basic）については、上述した非特許文献１の「Table 9.2 L1-Basic signaling fields and syntax」にその詳細な内容が記載されている。また、フォーマット（Format）として、uimsbf(unsigned integer most significant bit first)が指定された場合、ビット演算をして、整数として扱われることを意味している。
【００３７】
（L1詳細情報の構造）
図３乃至図５は、図１のプリアンブルに含まれるL1詳細情報（L1-Detail）のシンタックスの例を示す図である。
【００３８】
4ビットのL1D_versionは、L1詳細情報のバージョンを表している。
【００３９】
3ビットのL1D_num_rfに応じたループには、チャネルボンディング（Channel Bonding）に関するパラメータが配置される。すなわち、19ビットのL1D_rf_frequencyは、チャネルボンディングにより結合されるRFチャネルの周波数を表している。
【００４０】
ここで、図２のL1基本情報において、L1B_time_info_flag = 1 となる場合、時刻情報が存在していることを示しているので、L1詳細情報には、時刻情報としてのL1D_time_infoが配置される。なお、L1D_time_infoのビット数は、未確定（TBD）とされる。
【００４１】
図２のL1基本情報のL1B_num_subframesに応じたループには、以下のサブフレームに関するパラメータが配置される。
【００４２】
1ビットのL1D_mimoは、サブフレームのMIMOの使用状況を表している。1ビットのL1D_misoは、サブフレームのMISOの使用状況を表している。2ビットのL1D_fft_sizeは、サブフレームのFFTサイズを表している。
【００４３】
3ビットのL1D_reduced_carriersは、サブフレームで使用されるFFTサイズのキャリアの最大数の減少に応じた制御ユニットの数を表している。4ビットのL1D_guard_intervalは、サブフレームのガードインターバル長を表している。11ビットのL1D_num_ofdm_symbolsは、サブフレームに含まれるOFDMシンボルの数を表している。
【００４４】
5ビットのL1D_scattered_pilot_patternは、サブフレームで使用されているSPパターンを表している。3ビットのL1D_scattered_pilot_boostは、SPパターンの大きさを高める値を表している。1ビットのL1D_sbs_firstと、1ビットのL1D_sbs_lastは、サブフレームのSBSを表している。
【００４５】
1ビットのL1D_subframe_multiplexは、サブフレームが時分割多重であるかどうかを表している。1ビットのL1D_frequency_interleaverは、周波数インターリーブがあるかどうかを表している。
【００４６】
6ビットのL1D_num_plpに応じたループには、PLPに関するパラメータが配置される。このパラメータとしては、6ビットのL1D_plp_id，1ビットのL1D_plp_slt_exist，2ビットのL1D_plp_layer，24ビットのL1D_plp_start，24ビットのL1D_plp_size，2ビットのL1D_plp_scrambler_type，4ビットのL1D_plp_fec_typeなどが配置される。
【００４７】
ここでは、PLPに関するパラメータの全てについては説明しないが、上述した非特許文献１の「Table 9.12 L1-Detail signaling fields and syntax」に、L1詳細情報（L1-Detail）の詳細な内容が記載されている。
【００４８】
（Nullセル数の概要）
ところで、ATSC3.0で規定される物理層フレームにおいて、各サブフレームには、アクティブデータセル（有効なデータのセル）のほかに、Nullセルが含まれている。すなわち、図６に示すように、サブフレーム内の全セル数を、トータルデータセル数（Total Data Cells）とした場合、Nullセル数（Null Cells）は、トータルデータセル数とアクティブデータセル数（Active Data Cells）を用いて、下記の式（１）を計算することで求められる。
【００４９】
Null Cells = Total Data Cells - Active Data Cells      ・・・（１）
【００５０】
なお、図６においては、横軸が周波数を表しており、トータルデータセル全体で見れば、アクティブデータセルを中心にして、その両側にNullセルが1/2ずつ割り当てられている。また、図６では、サブフレームに、SBS(Subframe Boundary Symbol)が含まれることが前提となっている。ただし、SBSは、サブフレームの境界のシンボルであって、所定の規則に従い、サブフレームの最初と最後のシンボルがなり得るものである。
【００５１】
このように、Nullセル数を求める場合には、トータルデータセル数とアクティブデータセル数をそれぞれ算出した後に、トータルデータセル数からアクティブデータセル数を減算する必要がある。
【００５２】
トータルデータセル数の算出方法であるが、受信側の装置（受信装置）のROM（後述するROM３１２Ａ（図１２））に、トータルデータセル数を算出するためのテーブルをあらかじめ記憶しておき、このテーブルと、L1シグナリングの各種制御パラメータとを用いることで、トータルデータセル数が算出される。なお、L1シグナリングの各種制御パラメータは、物理層フレームのプリアンブルから得られる。
【００５３】
ここで、トータルデータセル数を算出する際に用いられるテーブルとしては、例えば、図７乃至図８に示したテーブルがあり、これらのテーブルを、受信装置のROM（後述するROM３１２Ａ（図１２））にあらかじめ記憶しておくことになる。また、トータルデータセル数を算出する際に用いられるL1シグナリングの各種制御パラメータとしては、例えば、FFT Size，SPP(Scattered Pilot Pattern)，Cred_coeffがある。
【００５４】
ただし、物理層フレームに含まれる１以上のサブフレームのうち、先頭のサブフレームの各種制御パラメータはL1基本情報（L1-Basic）に記述され、それ以外の残りのサブフレームの各種制御パラメータはL1詳細情報（L1-Detail）に記述されている。
【００５５】
したがって、FFT Sizeは、L1B_First_Sub_fft_size（図２）又はL1D_fft_size（図３）に対応している。また、SPPは、L1B_First_Sub_scattered_pilot_pattern（図２）又はL1D_scattered_pilot_pattern（図３）に対応している。Cred_coeffは、L1B_First_Sub_reduced_carriers（図２）又はL1D_reduced_carriers（図３）に対応している。
【００５６】
また、アクティブデータセル数の算出方法であるが、受信装置のROM（後述するROM３１３Ａ（図１２））に、アクティブデータセル数を算出するためのテーブルをあらかじめ記憶しておき、このテーブルと、L1シグナリングの各種制御パラメータとを用いることで、アクティブデータセル数が算出される。
【００５７】
ここで、アクティブデータセル数を算出する際に用いられるテーブルとしては、例えば、図９乃至図１１に示したテーブルがあり、これらのテーブルを、受信装置のROM（後述するROM３１３Ａ（図１２））にあらかじめ記憶しておくことになる。また、アクティブデータセル数を算出する際に用いられるL1シグナリングの各種制御パラメータとしては、例えば、FFT Size，SPP，Cred_coeff，SPBoost，PAPRがある。
【００５８】
上述したように、FFT Sizeは、L1B_First_Sub_fft_size（図２）又はL1D_fft_size（図３）に対応し、SPPは、L1B_First_Sub_scattered_pilot_pattern（図２）又はL1D_scattered_pilot_pattern（図３）に対応し、Cred_coeffは、L1B_First_Sub_reduced_carriers（図２）又はL1D_reduced_carriers（図３）に対応している。また、SPBoostは、L1B_First_Sub_scattered_pilot_boost（図２）又はL1D_scattered_pilot_boost（図３）に対応している。PAPRは、L1B_papr（図２）に対応している。
【００５９】
例えば、L1シグナリングの各種制御パラメータとして、"16K"であるFFT Size，"SP32_4"であるSPP，"4"であるCred_coeff，"4"であるSPBoostが解読された場合、トータルデータセル数として、12558が算出され（図８の枠Ａ）、アクティブデータセル数として、10622が算出される（図１０の枠Ｂ）。そして、このようにして求められたトータルデータセル数とアクティブデータセル数に対し、上述した式（１）を適用することで、1966（= 12588 - 10622）であるNullセル数が求められる。
【００６０】
（現状の受信側のパラメータ制御部の構成）
次に、現状の規格に対応した受信装置の構成について説明するが、ここでは、説明を簡略化するために、当該受信装置を構成する直交復調部やOFDM受信部、デインターリーブ部などの説明は省略し、L1シグナリングを処理するパラメータ制御部３０１（図１２）の構成を中心に説明する。
【００６１】
図１２は、現状の受信側のパラメータ制御部３０１の構成を示す図である。
【００６２】
図１２において、現状の受信側のパラメータ制御部３０１は、シグナリングデコード部３１１、トータルデータセル数算出部３１２、アクティブデータセル数算出部３１３、及びNullセル数算出部３１４から構成される。
【００６３】
シグナリングデコード部３１１は、そこに入力される誤り訂正後のデータ（受信L1系列）に対し、所定の復号方式に従い、デコードを行うことで、L1シグナリングの各種制御パラメータの解読を行う。シグナリングデコード部３１１は、解読された各種制御パラメータのうち、FFT Size，SPP，Cred_coeffを、トータルデータセル数算出部３１２に供給し、FFT Size，SPP，Cred_coeff，SPBoost，PAPRを、アクティブデータセル数算出部３１３に供給する。
【００６４】
トータルデータセル数算出部３１２は、内部に備えるROM３１２Ａから、トータルデータセル数の算出用テーブルを読み出し、当該テーブルを用い、FFT Size，SPP，Cred_coeffに応じたトータルデータセル数を算出する。このトータルデータセル数は、Nullセル数算出部３１４に供給される。また、トータルデータセル数は、例えば、OFDM受信部など、制御パラメータとしてのトータルデータセル数を利用する受信装置の各部に供給される。
【００６５】
アクティブデータセル数算出部３１３は、内部に備えるROM３１３Ａから、アクティブデータセル数の算出用テーブルを読み出し、当該テーブルを用い、FFT Size，SPP，Cred_coeff，SPBoost，PAPRに応じたアクティブデータセル数を算出する。このアクティブデータセル数は、Nullセル数算出部３１４に供給される。
【００６６】
Nullセル数算出部３１４には、トータルデータセル数算出部３１２からのトータルデータセル数と、アクティブデータセル数算出部３１３からのアクティブデータセル数が供給される。Nullセル数算出部３１４は、上述した式（１）を適用して、トータルデータセル数からアクティブデータセル数を減算することで、Nullセル数を算出する。このNullセル数は、例えば、周波数デインターリーブ部など、制御パラメータとしてのNullセル数を利用する受信装置の各部に供給される。
【００６７】
（現状のパラメータ制御処理の流れ）
次に、図１３のフローチャートを参照して、図１２のパラメータ制御部３０１により実行される現状のパラメータ制御処理の流れを説明する。
【００６８】
ステップＳ３０１において、シグナリングデコード部３１１は、誤り訂正後のデータ（受信L1系列）を入力する。また、ステップＳ３０２において、シグナリングデコード部３１１は、ステップＳ３０１の処理で入力された誤り訂正後のデータ（受信L1系列）に対し、所定の復号方式に従い、デコードを行うことで、L1シグナリングの各種制御パラメータ（FFT Size，SPP，Cred_coeff，SPBoost，PAPR）の解読を行う。
【００６９】
ステップＳ３０３において、トータルデータセル数算出部３１２は、ROM３１２Ａに記憶されたトータルデータセル数の算出用テーブル（例えば、図７乃至図８のテーブル）を用い、ステップＳ３０２の処理で解読されたFFT Size，SPP，Cred_coeffに応じたトータルデータセル数を算出する。
【００７０】
ステップＳ３０４において、アクティブデータセル数算出部３１３は、ROM３１３Ａに記憶されたアクティブデータセル数の算出用テーブル（例えば、図９乃至図１１のテーブル）を用い、ステップＳ３０２の処理で解読されたFFT Size，SPP，Cred_coeff，SPBoost，PAPRに応じたアクティブデータセル数を算出する。
【００７１】
ステップＳ３０５において、Nullセル数算出部３１４は、ステップＳ３０３の処理で算出されたトータルデータセル数と、ステップＳ３０４の処理で算出されたアクティブデータセル数に、上述した式（１）を適用して、トータルデータセル数からアクティブデータセル数を減算することで、Nullセル数を算出する。
【００７２】
ステップＳ３０６において、Nullセル数算出部３１４は、ステップＳ３０５の処理で算出されたNullセル数を、周波数デインターリーブ部に供給する。そして、ステップＳ３０６の処理が終了すると、図１３の現状のパラメータ制御処理は終了される。
【００７３】
以上のように、現状のパラメータ制御処理では、ROMにあらかじめ記憶されたテーブル（例えば、図７乃至図８のテーブルや図９乃至図１１のテーブル等）と、解読されたL1シグナリングの各種制御パラメータ（例えば、FFT Size，SPP，Cred_coeff，SPBoost，PAPR）を用いて、トータルデータセル数とアクティブデータセル数を算出し、算出されたセル数に対して上述した式（１）を適用することで、Nullセル数を求めている。
【００７４】
しかしながら、現状の受信装置では、上述した式（１）によって、Nullセル数を算出するためには、テーブルと各種制御パラメータを用いて、トータルデータセル数とアクティブデータセル数を算出する必要があり、この計算処理が、受信装置の負担となっていた。また、現状の受信装置では、トータルデータセル数とアクティブデータセル数を算出するために用いられる多数のテーブル（例えば、図７乃至図８のテーブルや図９乃至図１１のテーブル等）を、あらかじめROM（例えば、図１２のROM３１２ＡやROM３１３Ａ等）に記憶しておく必要があり、そのためROMには多くの記憶容量を確保しなければならず、受信装置の負担となっていた。
【００７５】
このように、現状の規格では、Nullセル数を算出するための演算回路やメモリなどを設ける必要があり、受信装置の負担が大きくなっていた。そこで、本技術では、受信側の受信装置でNullセル数を算出するのではなく、L1シグナリングに含めて伝送することで、Nullセル数に起因する受信装置の負担を軽減することができるようにする。以下、このような本技術を適用した伝送システムについて説明する。
【００７６】
＜２．本技術の実施の形態＞
【００７７】
（１）システムの構成
【００７８】
（伝送システムの構成例）
図１４は、本技術を適用した伝送システムの一実施の形態の構成を示す図である。なお、システムとは、複数の装置が論理的に集合したものをいう。
【００７９】
図１４において、伝送システム１は、送信装置１０と受信装置２０から構成される。この伝送システム１では、ATSC3.0等のデジタル放送の規格に準拠したデータ伝送が行われる。
【００８０】
なお、次世代地上放送規格の１つであるATSC3.0では、データ伝送に、主として、TS(Transport Stream)パケットではなく、IP/UDPパケット、すなわち、UDP(User Datagram Protocol)パケットを含むIP(Internet Protocol)パケットを用いる方式が採用されることが想定されている。また、ATSC3.0以外の放送方式でも、将来的に、IPパケットを用いた方式が採用されることが期待されている。
【００８１】
送信装置１０は、伝送路４０を介してコンテンツを送信する。例えば、送信装置１０は、放送番組等のコンテンツを構成するビデオやオーディオ等（のコンポーネント）とシグナリングを含む放送ストリームを、デジタル放送信号として、伝送路４０を介して送信する。
【００８２】
受信装置２０は、送信装置１０から伝送路４０を介して送信されてくる、コンテンツを受信して出力する。例えば、受信装置２０は、送信装置１０からのデジタル放送信号を受信して、放送ストリームから、コンテンツを構成するビデオやオーディオ等（のコンポーネント）とシグナリングを取得し、放送番組等のコンテンツの映像や音声を再生する。
【００８３】
なお、図１４の伝送システム１においては、説明を簡単にするために、受信装置２０を１つだけ図示しているが、受信装置２０は複数設けることができ、送信装置１０が送信（一斉同報配信）するデジタル放送信号は、伝送路４０を介して複数の受信装置２０で同時に受信することができる。
【００８４】
また、図１４の伝送システム１においては、送信装置１０も複数設けることができる。複数の送信装置１０のそれぞれでは、別個のチャネルとしての、例えば、別個の周波数帯域で、放送ストリームを含むデジタル放送信号を送信し、受信装置２０では、複数の送信装置１０のそれぞれのチャンネルの中から、放送ストリームを受信するチャネルを選択することができる。
【００８５】
さらに、図１４の伝送システム１において、伝送路４０は、地上波（地上波放送）のほか、例えば、放送衛星（BS：Broadcasting Satellite）や通信衛星（CS：Communications Satellite）を利用した衛星放送、あるいは、ケーブルを用いた有線放送（CATV）などであってもよい。
【００８６】
（送信装置の構成例）
図１５は、図１４の送信装置１０の構成例を示す図である。
【００８７】
図１５において、送信装置１０は、エンコーダ部１１１、パラメータ制御部１１２、誤り訂正符号化部１１３、時間インターリーブ部１１４、周波数インターリーブ部１１５、OFDM送信部１１６、直交変調部１１７、及びRF・アナログ部１１８から構成される。
【００８８】
エンコーダ部１１１は、前段の回路（不図示）から入力される（サブフレームの）データをエンコードし、誤り訂正符号化部１１３に供給する。
【００８９】
パラメータ制御部１１２は、各種制御パラメータを含むL1シグナリング（プリアンブル）のデータを生成し、誤り訂正符号化部１１３に供給する。例えば、L1シグナリングとしては、L1基本情報（L1-Basic）やL1詳細情報（L1-Detail）などが生成される。また、このL1シグナリングには、制御パラメータとして、Nullセル数（後述するL1B_First_Sub_sbs_null_cells（図１９）や、L1D_sbs_null_cells（図２０））が含まれている。
【００９０】
誤り訂正符号化部１１３は、エンコーダ部１１１とパラメータ制御部１１２から供給されるデータに対し、誤り符号化処理（例えば、BCH符号化やLDPC(Low Density Parity Check)符号化等）を行う。誤り訂正符号化部１１３は、誤り訂正符号化後のデータを、時間インターリーブ部１１４に供給する。
【００９１】
時間インターリーブ部１１４は、誤り訂正符号化部１１３から供給されるデータに対し、時間方向のインターリーブを行い、その時間方向のインターリーブ後のデータを、周波数インターリーブ部１１５に供給する。
【００９２】
周波数インターリーブ部１１５は、時間インターリーブ部１１４から供給されるデータに対し、周波数方向のインターリーブを行い、その周波数方向のインターリーブ後のデータを、OFDM送信部１１６に供給する。
【００９３】
OFDM送信部１１６は、周波数インターリーブ部１１５から供給されるデータに対して、IFFT(Inverse Fast Fourier Transform)演算を行い、それにより得られるOFDM(Orthogonal Frequency Division Multiplexing)信号を、直交変調部１１７に供給する。なお、OFDM信号にはブートストラップのシグナリングが含められる。
【００９４】
直交変調部１１７は、OFDM送信部１１６から供給されるベースバンドのOFDM信号を直交変調し、それにより得られる信号を、RF・アナログ部１１８に供給する。なお、直交変調部１１７で処理された信号には、D/A(Digital/Analog)変換処理が施され、デジタル信号からアナログ信号に変換されてから、RF・アナログ部１１８に入力される。
【００９５】
RF・アナログ部１１８は、アンテナ１０１と接続され、直交変調部１１７から供給される信号を、RF(Radio Frequency)信号として、伝送路４０を介して受信装置２０に送信する。
【００９６】
（本技術の送信側の変調処理の流れ）
次に、図１６のフローチャートを参照して、図１４の送信装置１０により実行される、本技術の送信側の変調処理の流れを説明する。なお、図１６の説明では、パラメータ制御部１１２とOFDM送信部１１６により実行される処理を中心に説明する。
【００９７】
ステップＳ１０１において、OFDM送信部１１６は、サブフレーム（サブフレームシンボル）を変調する。
【００９８】
なお、ここでは詳細な説明は省略するが、エンコーダ部１１１によりエンコードされたデータに対し、誤り訂正符号化部１１３によって、誤り訂正符号化処理が行われた後に、時間インターリーブ部１１４と周波数インターリーブ部１１５によって、時間方向と周波数方向のインターリーブが行われることで得られるデータが、サブフレームとして、OFDM送信部１１６によって変調される。
【００９９】
ステップＳ１０２において、パラメータ制御部１１２は、各種制御パラメータを含むL1シグナリング（プリアンブル）のデータを生成する。例えば、L1シグナリングとしては、L1基本情報（L1-Basic）やL1詳細情報（L1-Detail）などが生成される。また、このL1シグナリングには、制御パラメータとして、Nullセル数（後述するL1B_First_Sub_sbs_null_cells（図１９）や、L1D_sbs_null_cells（図２０））が含まれている。
【０１００】
なお、ここでは詳細な説明は省略するが、ステップＳ１０２の処理で生成されたL1シグナリングのデータに対しては、誤り訂正符号化部１１３によって、誤り訂正符号化処理が行われた後に、時間インターリーブ部１１４と周波数インターリーブ部１１５によって、時間方向と周波数方向のインターリーブが行われる。
【０１０１】
ステップＳ１０３において、OFDM送信部１１６は、ステップＳ１０２の処理で生成されたL1シグナリングのプリアンブルシンボルを変調する。
【０１０２】
ステップＳ１０４において、OFDM送信部１１６は、制御パラメータを含む、ブートストラップのシグナリングを生成する。
【０１０３】
ステップＳ１０５において、OFDM送信部１１６は、ステップＳ１０４の処理で生成されたブートストラップのシグナリングを変調する。
【０１０４】
ステップＳ１０６においては、処理を終了するかどうかが判定される。ステップＳ１０６において、処理を終了しないと判定された場合、処理は、ステップＳ１０１に戻される。そして、次の物理層フレームを処理対象として、上述したステップＳ１０１乃至Ｓ１０５の処理が繰り返される。
【０１０５】
一方、ステップＳ１０６において、処理を終了すると判定された場合、図１６の本技術の送信側の変調処理は終了される。
【０１０６】
以上、本技術の送信側の変調処理の流れを説明した。この本技術の送信側の変調処理では、各種制御パラメータとして、FFT Size，SPP，Cred_coeffなどのほかに、Nullセル数も生成され、L1シグナリング（プリアンブル）に含めて伝送される。
【０１０７】
（受信装置の構成例）
図１７は、図１４の受信装置２０の構成例を示す図である。
【０１０８】
図１７において、受信装置２０は、RF・アナログ部２１１、直交復調部２１２、OFDM受信部２１３、周波数デインターリーブ部２１４、時間デインターリーブ部２１５、誤り訂正復号化部２１６、パラメータ制御部２１７、及びデコーダ部２１８から構成される。
【０１０９】
RF・アナログ部２１１は、アンテナ２０１と接続され、送信装置１０から伝送路４０を介して送信されてくるRF信号を受信する。RF・アナログ部２１１は、RF信号を処理し、直交復調部２１２に供給する。なお、RF・アナログ部２１１で処理された信号には、A/D(Analog/Digital)変換処理が施され、アナログ信号からデジタル信号に変換されてから、直交復調部２１２に入力される。
【０１１０】
直交復調部２１２は、RF・アナログ部２１１から供給される信号を直交復調し、その結果得られるベースバンドのOFDM信号を、OFDM受信部２１３に供給する。
【０１１１】
OFDM受信部２１３は、直交復調部２１２から供給されるOFDM信号に対して、FFT(Fast Fourier Transform)演算を行い、各サブキャリアに直交変調されているデータを抽出し、周波数デインターリーブ部２１４に供給する。
【０１１２】
周波数デインターリーブ部２１４は、OFDM受信部２１３から供給されるデータに対し、周波数方向のデインターリーブを行い、その周波数方向のデインターリーブ後のデータを、時間デインターリーブ部２１５に供給する。
【０１１３】
時間デインターリーブ部２１５は、周波数デインターリーブ部２１４から供給されるデータに対し、時間方向のデインターリーブを行い、その時間方向のデインターリーブ後のデータを、誤り訂正復号化部２１６に供給する。
【０１１４】
誤り訂正復号化部２１６は、時間デインターリーブ部２１５から供給されるデータに対し、誤り訂正処理（例えばLDPC復号やBCH復号等）を行う。誤り訂正復号化部２１６は、誤り訂正後のデータのうち、プリアンブルのデータを、パラメータ制御部２１７に供給するとともに、サブフレームのデータを、デコーダ部２１８に供給する。
【０１１５】
パラメータ制御部２１７は、誤り訂正復号化部２１６から供給されるデータを処理し、L1シグナリングに含まれる各種制御パラメータを、受信装置２０の各部に供給する。なお、パラメータ制御部２１７の詳細な構成は、図２３を参照して後述する。
【０１１６】
例えば、パラメータ制御部２１７は、L1シグナリングに含まれるNullセル数（後述するL1B_First_Sub_sbs_null_cells（図１９）や、L1D_sbs_null_cells（図２０））を、周波数デインターリーブ部２１４に供給する。これにより、周波数デインターリーブ部２１４では、パラメータ制御部２１７からのNullセル数に応じてNullセルを除いた部分のアクティブデータに対し、周波数方向のデインターリーブが行われる。
【０１１７】
デコーダ部２１８は、誤り訂正復号化部２１６から供給される（サブフレームの）データをデコードし、後段の回路（不図示）に出力する。
【０１１８】
（本技術の受信側の復調処理の流れ）
次に、図１８のフローチャートを参照して、図１４の受信装置２０により実行される、本技術の受信側の復調処理の流れを説明する。ただし、図１８の説明では、OFDM受信部２１３とパラメータ制御部２１７により実行される処理を中心に説明する。
【０１１９】
ステップＳ２０１において、OFDM受信部２１３は、物理層フレームのブートストラップを検波する。ここで、OFDM受信部２１３は、ブートストラップの検波を行う場合に、ベースバンドのOFDM信号に対する時間域の相関計算を行い、自己相関が最大となったところを、ブートストラップのトリガ位置として検出（検波）する。
【０１２０】
ステップＳ２０２において、OFDM受信部２１３は、ステップＳ２０１の処理で検波されたブートストラップに対する等化処理を行い、ブートストラップを復調する。
【０１２１】
ステップＳ２０３において、OFDM受信部２１３は、ステップＳ２０２の処理で復調されたブートストラップのシグナリングを解読（デコード）し、それにより得られる制御パラメータを用いたパラメータ制御を行う。
【０１２２】
ステップＳ２０４において、OFDM受信部２１３は、ステップＳ２０３の処理のパラメータ制御に従い、プリアンブルシンボルの等化処理を行い、プリアンブルシンボルを復調する。
【０１２３】
なお、ここでは詳細な説明は省略するが、ステップＳ２０４の処理で復調されたプリアンブルシンボルに対しては、周波数デインターリーブ部２１４と時間デインターリーブ部２１５によって、周波数方向と時間方向のデインターリーブが行われた後に、誤り訂正復号化部２１６によって、誤り訂正復号化処理が行われる。
【０１２４】
ステップＳ２０５において、パラメータ制御部２１７は、ステップＳ２０４の処理等で得られるプリアンブルに含まれるL1シグナリングを解読（デコード）し、それにより得られる各種制御パラメータを用いたパラメータ制御を行う。
【０１２５】
例えば、パラメータ制御部２１７は、L1シグナリングに含まれるNullセル数（後述するL1B_First_Sub_sbs_null_cells（図１９）や、L1D_sbs_null_cells（図２０））を、周波数デインターリーブ部２１４に供給する。これにより、周波数デインターリーブ部２１４では、パラメータ制御部２１７からのNullセル数に応じてNullセルを除いた部分のアクティブデータに対し、周波数方向のデインターリーブが行われる。
【０１２６】
ステップＳ２０６において、OFDM受信部２１３は、ステップＳ２０５の処理のパラメータ制御に従い、サブフレーム（サブフレームシンボル）の等化処理を行い、サブフレームを復調する。
【０１２７】
なお、ここでは詳細な説明は省略するが、ステップＳ２０６の処理で復調されたサブフレームに対しては、周波数デインターリーブ部２１４と時間デインターリーブ部２１５によって、周波数方向と時間方向のデインターリーブが行われた後に、誤り訂正復号化部２１６によって、誤り訂正復号化処理が行われる。そして、デコーダ部２１８では、ステップＳ２０６の処理等で得られる（サブフレームの）データがデコードされ、出力される。
【０１２８】
ステップＳ２０７においては、処理を終了するかどうかが判定される。ステップＳ２０７において、処理を終了しないと判定された場合、処理は、ステップＳ２０２に戻される。そして、次の物理層フレームを処理対象として、上述したステップＳ２０２乃至Ｓ２０６の処理が繰り返される。
【０１２９】
一方、ステップＳ２０７において、処理を終了すると判定された場合、図１８の本技術の受信側の復調処理は終了される。
【０１３０】
以上、本技術の受信側の復調処理の流れを説明した。この本技術の受信側の復調処理では、L1シグナリング（プリアンブル）に含めて伝送される各種制御パラメータとして、FFT Size，SPP，Cred_coeffなどとともに、Nullセル数を取得することができるので、Nullセル数を算出するための演算回路やメモリなどを設ける必要がなく、受信装置の負担を軽減することができる。
【０１３１】
（２）シグナリングの例
【０１３２】
（L1基本情報の構造）
図１９は、本技術のL1基本情報（L1-Basic）のシンタックスの例を示す図である。
【０１３３】
図１９には、L1基本情報の一部を抜き出して記述しているが、図２のL1基本情報と比べて、11ビットのL1B_First_Sub_sbs_null_cellsのフィールドが追加されている点が異なっている（図中の太字）。このL1B_First_Sub_sbs_null_cellsは、先頭のサブフレームのNullセル数を表している。
【０１３４】
なお、ここでは、L1B_First_Sub_sbs_null_cellsのビット数を、11ビットとしているが、運用に応じて他のビット数を設定してもよい。
【０１３５】
（L1詳細情報の構造）
図２０は、本技術のL1詳細情報（L1-Detail）のシンタックスの例を示す図である。
【０１３６】
図２０には、L1詳細情報の一部を抜き出して記述しているが、図３乃至図５のL1詳細情報と比べて、11ビットのL1D_sbs_null_cellsのフィールドが追加されている点が異なっている（図中の太字）。このL1D_sbs_null_cellsは、先頭のサブフレーム以外の残りのサブフレームのNullセル数を表している。
【０１３７】
なお、ここでは、L1D_sbs_null_cellsのビット数を、11ビットとしているが、運用に応じて他のビット数を設定してもよい。
【０１３８】
ここで、Nullセル数の記述方法であるが、図１９及び図２０に示した以外の他の記述方法を採用してもよい。例えば、上述した図６に示したように、各サブフレームにおいては、アクティブデータセルを中心に、その両側に、Nullセルが1/2ずつ割り当てられる。この関係を利用して、Nullセル数の半分（1/2の数）が、L1シグナリングに記述されるようにしてもよい。そこで、次に、図２１及び図２２を参照して、Nullセル数の半分（1/2の数）を、L1基本情報とL1詳細情報に記述した場合について説明する。
【０１３９】
（L1基本情報の他の構造）
図２１は、本技術のL1基本情報（L1-Basic）の他のシンタックスの例を示す図である。
【０１４０】
図２１には、L1基本情報の一部を抜き出して記述しているが、図２のL1基本情報と比べて、10ビットのL1B_First_Sub_sbs_active_carrier_startのフィールドが追加されている点が異なっている（図中の太字）。このL1B_First_Sub_sbs_active_carrier_startは、先頭のサブフレームのNullセル数の半分（1/2の数）を表している。
【０１４１】
ここで、L1B_First_Sub_sbs_active_carrier_startのビット数は、10ビットであり、Nullセル数の半分を記述することで、Nullセル数の全部を記述している11ビットのL1B_First_Sub_sbs_null_cells（図１９）と比べて、1ビットのビット数を削減することができる。なお、L1B_First_Sub_sbs_active_carrier_startのビット数は、10ビットとしているが、運用に応じて他のビット数を設定してもよい。
【０１４２】
（L1詳細情報の他の構造）
図２２は、本技術のL1詳細情報（L1-Detail）の他のシンタックスの例を示す図である。
【０１４３】
図２２には、L1詳細情報の一部を抜き出して記述しているが、図３乃至図５のL1詳細情報と比べて、10ビットのL1D_sbs_active_carrier_startのフィールドが追加されている点が異なっている（図中の太字）。このL1D_sbs_active_carrier_startは、先頭のサブフレーム以外の残りのサブフレームのNullセル数の半分（1/2の数）を表している。
【０１４４】
ここで、L1D_sbs_active_carrier_startのビット数は、10ビットであり、Nullセル数の半分を記述することで、L1D_sbs_null_cells（図２０）と比べて、１ビットのビット数を削減することができる。なお、L1D_sbs_active_carrier_startのビット数は、10ビットとしているが、運用に応じて他のビット数を設定してもよい。
【０１４５】
なお、図１９乃至図２２においては、Nullセル数又はNullセル数の半分（1/2の数）が、L1シグナリングに記述される場合を説明したが、L1シグナリングに記述されるのは、Nullセル数に限らず、例えば、アクティブデータセル数が記述されるようにしてもよい。
【０１４６】
すなわち、パラメータ制御部２１７においては、受信装置２０（図１７）の各部（例えばOFDM受信部２１３等）にトータルデータセル数を出力（提供）するために、トータルデータセル数の算出用テーブルを保持することが想定されるが、このトータルデータセル数の算出用テーブルを用いることで、FFT Size，SPP，Cred_coeffに応じたトータルデータセル数を算出することが可能となる。
【０１４７】
そして、アクティブデータセル数をL1シグナリングに含めて伝送することで、上述した式（１）を計算すれば、トータルデータセル数の算出用テーブルを用いて算出されるトータルデータセル数から、L1シグナリングから解読されるアクティブデータセル数を減算することで、Nullセル数を求めることができる。なお、この場合であっても、パラメータ制御部２１７では、アクティブデータセル数を算出する必要がなく、また、アクティブデータセル数の算出用テーブルを保持する必要がないため、受信装置の負担を軽減できることに変わりはない。
【０１４８】
（３）パラメータ制御の詳細
【０１４９】
次に、L1シグナリングとして、図１９のL1基本情報（L1-Basic）と、図２０のL1詳細情報（L1-Detail）が伝送される場合における、パラメータ制御部２１７によるパラメータ制御の詳細について説明する。
【０１５０】
（本技術のパラメータ制御部の構成）
図２３は、図１７のパラメータ制御部２１７の構成を示す図である。
【０１５１】
図２３において、パラメータ制御部２１７は、シグナリングデコード部２２１及びトータルデータセル数算出部２２２から構成される。
【０１５２】
シグナリングデコード部２２１は、誤り訂正復号化部２１６（図１７）から供給される誤り訂正後のデータ（受信L1系列）に対し、所定の復号方式に従い、デコードを行うことで、L1シグナリングの各種制御パラメータの解読を行う。
【０１５３】
シグナリングデコード部２２１は、解読された各種制御パラメータのうち、Nullセル数（例えば、図１９のL1B_First_Sub_sbs_null_cells又は図２０のL1D_sbs_null_cells）を、周波数デインターリーブ部２１４（図１７）に出力する。なお、制御パラメータとしてのNullセル数の出力先は、周波数デインターリーブ部２１４に限らず、当該Nullセル数を利用する受信装置２０（図１７）の各部に供給される。
【０１５４】
また、シグナリングデコード部２２１は、解読された各種制御パラメータのうち、FFT Size，SPP，Cred_coeffを、トータルデータセル数算出部２２２に供給する。
【０１５５】
トータルデータセル数算出部２２２は、内部に備えるROM２２２Ａから、トータルデータセル数の算出用テーブルを読み出し、当該テーブルを用い、FFT Size，SPP，Cred_coeffに応じたトータルデータセル数を算出する。このトータルデータセル数は、例えば、OFDM受信部２１３（図１７）など、制御パラメータとしてのトータルデータセル数を利用する受信装置２０（図１７）の各部に供給される。
【０１５６】
なお、図２３においては、図示は省略しているが、シグナリングデコード部２２１により解読された各種制御パラメータは、当該各種制御パラメータを利用する受信装置２０（図１７）の各部に供給されることになる。
【０１５７】
（本技術のパラメータ制御処理の流れ）
次に、図２４のフローチャートを参照して、図１７のパラメータ制御部２１７により実行される、パラメータ制御処理の流れを説明する。ただし、図２４の説明では、L1シグナリングの各種制御パラメータのうち、Nullセル数に関する処理を中心に説明する。
【０１５８】
ステップＳ２２１において、シグナリングデコード部２２１は、誤り訂正復号化部２１６（図１７）からの誤り訂正後のデータ（受信L1系列）を入力する。
【０１５９】
ステップＳ２２２において、シグナリングデコード部２２１は、ステップＳ２２１の処理で入力された誤り訂正後のデータ（受信L1系列）に対し、所定の復号方式に従い、デコードを行うことで、L1シグナリングの各種制御パラメータ（Nullセル数）を解読する。このNullセル数としては、例えば、図１９のL1B_First_Sub_sbs_null_cells又は図２０のL1D_sbs_null_cellsが解読される。
【０１６０】
ステップＳ２２３において、シグナリングデコード部２２１は、ステップＳ２２２の処理で解読されたNullセル数を、周波数デインターリーブ部２１４（図１７）に出力する。そして、ステップＳ２２３の処理が終了すると、図２４の本技術のパラメータ制御処理は終了される。
【０１６１】
なお、図２４のパラメータ制御処理では、L1シグナリングの各種制御パラメータのうち、Nullセル数に関する処理を中心に説明したが、他の制御パラメータについても解読され、処理される。例えば、シグナリングデコード部２２１によって、FFT Size，SPP，Cred_coeffが解読されることで、トータルデータセル数算出部２２２によって、ROM２２２Ａのトータルデータセル数の算出用テーブル（例えば、図７乃至図８のテーブル等）を用いて、FFT Size，SPP，Cred_coeffに応じたトータルデータセル数が算出され、出力されることになる。
【０１６２】
以上、本技術のパラメータ制御処理の流れを説明した。本技術のパラメータ制御処理では、Nullセル数がL1シグナリングに含められて伝送されるので、トータルデータセル数とアクティブデータセル数を用いてNullセル数を算出する必要がなく、L1シグナリングに含まれるNullセル数を解読することで、Nullセル数が取得され、出力されることになる。
【０１６３】
そのため、Nullセル数を算出するために、ROMに記憶されたテーブルと、各種制御パラメータを用いて、トータルデータセル数とアクティブデータセル数を算出する必要がなく、この計算処理による受信装置２０の負担を軽減することができる。また、アクティブデータセル数等のセル数を算出するために用いられる多数のテーブル（例えば、図９乃至図１１のテーブル等）を、あらかじめROMに記憶しておく必要がないため、ROMに多くの記憶容量を確保しておく必要がなく、受信装置２０の負担を軽減することができる。
【０１６４】
このように、本技術では、Nullセル数をL1シグナリングに含めて伝送することで、Nullセル数を算出するための演算回路やメモリなどを設ける必要がなくなって、Nullセル数に起因する受信装置の負担を軽減することができる。
【０１６５】
なお、上述したトータルデータセル数の算出用テーブル（例えば、図７乃至図８に示したテーブル）や、アクティブデータセル数の算出用テーブル（例えば、図９乃至図１１に示したテーブル）は、トーンリザベーション（Tone Reservation）を考慮に入れておらず、仮に、トーンリザベーションまでも考慮に入れると、それらのセル数を算出するためのテーブルがさらに多くなる可能性がある。
【０１６６】
ここで、トーンリザベーションは、PAPRの値を下げるために、特別な信号をキャリアに挿入するものであり、例えば、DVB-T2で採用されている。図２５には、トーンリザベーションのキャリアインデックスの例を示している。例えば、トーンリザベーションを考慮に入れた場合、現状のテーブル数の２倍程度のテーブル数が必要になることも想定される。
【０１６７】
＜３．変形例＞
【０１６８】
上述した説明としては、デジタル放送の規格として、米国等で採用されている方式であるATSC（特に、ATSC3.0）を説明したが、本技術は、日本等が採用する方式であるISDB(Integrated Services Digital Broadcasting)や、欧州の各国等が採用する方式であるDVB(Digital Video Broadcasting)などに適用するようにしてもよい。また、上述した説明では、IP伝送方式が採用されるATSC3.0を例にして説明したが、IP伝送方式に限らず、例えば、MPEG2-TS(Transport Stream)方式等の他の方式に適用するようにしてもよい。
【０１６９】
また、デジタル放送としては、地上波放送のほか、放送衛星（BS)や通信衛星（CS）等を利用した衛星放送や、ケーブルテレビ（CATV）等の有線放送などに適用することができる。さらに、上述したシグナリング（のフィールド）等の名称は、一例であって、他の名称が用いられる場合がある。例えば、図１９のL1B_First_Sub_sbs_null_cellsや図２０のL1D_sbs_null_cellsには、「Nullセル数」を意味するような他の名称が用いられるようにしてもよい。ただし、これらの名称の違いは、形式的な違いであって、対象のシグナリング（のフィールド）等の実質的な内容が異なるものではない。
【０１７０】
また、本技術は、伝送路として、放送網以外の伝送路、すなわち、例えば、インターネットや電話網等の通信回線（通信網）などを利用することを想定して規定されている所定の規格（デジタル放送の規格以外の規格）などにも適用することができる。その場合には、伝送システム１（図１４）の伝送路４０として、インターネットや電話網などの通信回線が利用され、送信装置１０は、インターネット上に設けられたサーバとすることができる。そして、受信装置２０が通信機能を有するようにすることで、送信装置１０（サーバ）は、受信装置２０からの要求に応じて、処理を行うことになる。一方で、受信装置２０は、送信装置１０（サーバ）から伝送路４０（通信回線）を介して送信されてくるデータを処理することになる。
【０１７１】
＜４．コンピュータの構成＞
【０１７２】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。図２６は、上述した一連の処理をプログラムにより実行するコンピュータのハードウェアの構成例を示す図である。
【０１７３】
コンピュータ１０００において、CPU(Central Processing Unit)１００１、ROM(Read Only Memory)１００２、RAM(Random Access Memory)１００３は、バス１００４により相互に接続されている。バス１００４には、さらに、入出力インターフェース１００５が接続されている。入出力インターフェース１００５には、入力部１００６、出力部１００７、記録部１００８、通信部１００９、及び、ドライブ１０１０が接続されている。
【０１７４】
入力部１００６は、キーボード、マウス、マイクロフォンなどよりなる。出力部１００７は、ディスプレイ、スピーカなどよりなる。記録部１００８は、ハードディスクや不揮発性のメモリなどよりなる。通信部１００９は、ネットワークインターフェースなどよりなる。ドライブ１０１０は、磁気ディスク、光ディスク、光磁気ディスク、又は半導体メモリなどのリムーバブルメディア１０１１を駆動する。
【０１７５】
以上のように構成されるコンピュータ１０００では、CPU１００１が、ROM１００２や記録部１００８に記録されているプログラムを、入出力インターフェース１００５及びバス１００４を介して、RAM１００３にロードして実行することにより、上述した一連の処理が行われる。
【０１７６】
コンピュータ１０００（CPU１００１）が実行するプログラムは、例えば、パッケージメディア等としてのリムーバブルメディア１０１１に記録して提供することができる。また、プログラムは、ローカルエリアネットワーク、インターネット、デジタル衛星放送といった、有線又は無線の伝送媒体を介して提供することができる。
【０１７７】
コンピュータ１０００では、プログラムは、リムーバブルメディア１０１１をドライブ１０１０に装着することにより、入出力インターフェース１００５を介して、記録部１００８にインストールすることができる。また、プログラムは、有線又は無線の伝送媒体を介して、通信部１００９で受信し、記録部１００８にインストールすることができる。その他、プログラムは、ROM１００２や記録部１００８に、あらかじめインストールしておくことができる。
【０１７８】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。また、プログラムは、１のコンピュータ（プロセッサ）により処理されるものであってもよいし、複数のコンピュータによって分散処理されるものであってもよい。
【０１７９】
なお、本技術の実施の形態は、上述した実施の形態に限定されるものではなく、本技術の要旨を逸脱しない範囲において種々の変更が可能である。
【０１８０】
また、本技術は、以下のような構成をとることができる。
【０１８１】
（１）
物理層フレームに含まれるサブフレームのセルのうち、Nullセルの数を示すNullセル数を含むシグナリングを生成する生成部と、
前記シグナリングを、前記物理層フレームのプリアンブルに含まれるように処理する処理部と
を備えるデータ処理装置。
（２）
前記Nullセル数は、前記サブフレームの全てのセルの数を示すトータルデータセル数から、前記サブフレームの有効なデータのセルの数を示すアクティブデータセル数を減算することで得られるセル数である
（１）に記載のデータ処理装置。
（３）
前記シグナリングは、第１の制御情報と、前記第１の制御情報の後に読み出される第２の制御情報を含み、
前記Nullセル数は、前記第１の制御情報又は前記第２の制御情報に含まれる
（１）又は（２）に記載のデータ処理装置。
（４）
前記物理層フレームには、１以上のサブフレームが含まれ、
先頭のサブフレームのNullセル数は、前記第１の制御情報に含まれ、
先頭のサブフレーム以外の残りのサブフレームのNullセル数は、前記第２の制御情報に含まれる
（３）に記載のデータ処理装置。
（５）
前記第１の制御情報は、前記第２の制御情報と比べて、データのサイズが小さく、かつ、よりロバストに伝送される
（３）又は（４）に記載のデータ処理装置。
（６）
前記生成部は、前記Nullセル数の代わりに、前記アクティブデータセル数、又は前記Nullセル数の1/2の数を含むシグナリングを生成する
（２）に記載のデータ処理装置。
（７）
前記物理層フレームは、ATSC(Advanced Television Systems Committee)3.0で規定される物理層フレームであって、
前記第１の制御情報は、ATSC3.0で規定されるL1基本情報（L1-Basic）であり、
前記第２の制御情報は、ATSC3.0で規定されるL1詳細情報（L1-Detail）であり、
前記サブフレームには、当該サブフレームの境界のシンボルであるSBS(Subframe Boundary Symbol)が含まれる
（３）乃至（５）のいずれかに記載のデータ処理装置。
（８）
データ処理装置のデータ処理方法において、
前記データ処理装置が、
物理層フレームに含まれるサブフレームのセルのうち、Nullセルの数を示すNullセル数を含むシグナリングを生成し、
前記シグナリングを、前記物理層フレームのプリアンブルに含まれるように処理する
ステップを含むデータ処理方法。
（９）
物理層フレームのプリアンブルに含まれるシグナリングであって、前記物理層フレームに含まれるサブフレームのセルのうち、Nullセルの数を示すNullセル数を含む前記シグナリングを処理する処理部を備える
データ処理装置。
（１０）
前記処理部は、伝送路を介して伝送されてくる受信信号に含まれる、物理層の系列のデータをデコードして、前記シグナリングに含まれる前記Nullセル数を解読する
（９）に記載のデータ処理装置。
（１１）
前記処理部により解読された前記Nullセル数に応じて有効なデータに対し、周波数方向のデインターリーブを行う周波数デインターリーブ部をさらに備える
（１０）に記載のデータ処理装置。
（１２）
前記Nullセル数は、前記サブフレームの全てのセルの数を示すトータルデータセル数から、前記サブフレームの有効なデータのセルの数を示すアクティブデータセル数を減算することで得られるセル数である
（９）に記載のデータ処理装置。
（１３）
前記シグナリングは、第１の制御情報と、前記第１の制御情報の後に読み出される第２の制御情報を含み、
前記Nullセル数は、前記第１の制御情報又は前記第２の制御情報に含まれる
（９）又は（１２）に記載のデータ処理装置。
（１４）
前記物理層フレームには、１以上のサブフレームが含まれ、
先頭のサブフレームのNullセル数は、前記第１の制御情報に含まれ、
先頭のサブフレーム以外の残りのサブフレームのNullセル数は、前記第２の制御情報に含まれる
（１３）に記載のデータ処理装置。
（１５）
前記第１の制御情報は、前記第２の制御情報と比べて、データのサイズが小さく、かつ、よりロバストに伝送される
（１３）又は（１４）に記載のデータ処理装置。
（１６）
前記シグナリングは、前記Nullセル数の代わりに、前記アクティブデータセル数、又は前記Nullセル数の1/2の数を含み、
前記処理部は、前記アクティブデータセル数、又は前記Nullセル数の1/2の数を含む前記シグナリングを処理する
（１２）に記載のデータ処理装置。
（１７）
前記物理層フレームは、ATSC3.0で規定される物理層フレームであって、
前記第１の制御情報は、ATSC3.0で規定されるL1基本情報（L1-Basic）であり、
前記第２の制御情報は、ATSC3.0で規定されるL1詳細情報（L1-Detail）であり、
前記サブフレームには、当該サブフレームの境界のシンボルであるSBS(Subframe Boundary Symbol)が含まれる
（１３）乃至（１５）のいずれかに記載のデータ処理装置。
（１８）
データ処理装置のデータ処理方法において、
前記データ処理装置が、
物理層フレームのプリアンブルに含まれるシグナリングであって、前記物理層フレームに含まれるサブフレームのセルのうち、Nullセルの数を示すNullセル数を含む前記シグナリングを処理する
ステップを含むデータ処理方法。
【符号の説明】
【０１８２】
１  伝送システム，  １０  送信装置，  ２０  受信装置，  ４０  伝送路，  １１１  エンコーダ部，  １１２  パラメータ制御部，  １１３  誤り訂正符号化部，  １１４  時間インターリーブ部，  １１５  周波数インターリーブ部，  １１６  OFDM送信部，  １１７  直交変調部，  １１８  RF・アナログ部，  ２１１  RF・アナログ部，  ２１２  直交復調部，  ２１３  OFDM受信部，  ２１４  周波数デインターリーブ部，  ２１５  時間デインターリーブ部，  ２１６  誤り訂正復号化部，  ２１７  パラメータ制御部，  ２１８  デコーダ部，  ２２１  シグナリングデコード部，  ２２２  トータルデータセル数算出部，  ２２２Ａ  ROM（トータルデータセル用ROM），  １０００  コンピュータ，  １００１  CPU
【図１】
2017130724.tif 000003
【図２】
2017130724.tif 000004
【図３】
2017130724.tif 000005
【図４】
2017130724.tif 000006
【図５】
2017130724.tif 000007
【図６】
2017130724.tif 000008
【図７】
2017130724.tif 000009
【図８】
2017130724.tif 000010
【図９】
2017130724.tif 000011
【図１０】
2017130724.tif 000012
【図１１】
2017130724.tif 000013
【図１２】
2017130724.tif 000014
【図１３】
2017130724.tif 000015
【図１４】
2017130724.tif 000016
【図１５】
2017130724.tif 000017
【図１６】
2017130724.tif 000018
【図１７】
2017130724.tif 000019
【図１８】
2017130724.tif 000020
【図１９】
2017130724.tif 000021
【図２０】
2017130724.tif 000022
【図２１】
2017130724.tif 000023
【図２２】
2017130724.tif 000024
【図２３】
2017130724.tif 000025
【図２４】
2017130724.tif 000026
【図２５】
2017130724.tif 000027
【図２６】
2017130724.tif 000028
【手続補正書】
【提出日】平成29年4月19日(2017.4.19)
【手続補正１】
【補正対象書類名】特許請求の範囲
【補正対象項目名】全文
【補正方法】変更
【補正の内容】
【特許請求の範囲】
【請求項１】
物理層フレームに含まれるサブフレームのセルのうち、Ｎｕｌｌセルの数を示すＮｕｌｌセル数を含むシグナリングを生成する生成部と、
前記シグナリングを、前記物理層フレームのプリアンブルに含まれるように処理する処理部と
を備える送信装置。
【請求項２】
前記Ｎｕｌｌセル数は、前記サブフレームの全てのセルの数を示すトータルデータセル数から、前記サブフレームの有効なデータのセルの数を示すアクティブデータセル数を減算することで得られるセル数である
請求項１に記載の送信装置。
【請求項３】
前記シグナリングは、第１の制御情報と、前記第１の制御情報の後に読み出される第２の制御情報を含み、
前記Ｎｕｌｌセル数は、前記第１の制御情報又は前記第２の制御情報に含まれる
請求項２に記載の送信装置。
【請求項４】
前記物理層フレームには、１以上のサブフレームが含まれ、
先頭のサブフレームのＮｕｌｌセル数は、前記第１の制御情報に含まれ、
先頭のサブフレーム以外の残りのサブフレームのＮｕｌｌセル数は、前記第２の制御情報に含まれる
請求項３に記載の送信装置。
【請求項５】
前記第１の制御情報は、前記第２の制御情報と比べて、データのサイズが小さく、かつ、よりロバストに伝送される
請求項４に記載の送信装置。
【請求項６】
前記生成部は、前記Ｎｕｌｌセル数の代わりに、前記アクティブデータセル数、又は前記Ｎｕｌｌセル数の１／２の数を含むシグナリングを生成する
請求項２に記載の送信装置。
【請求項７】
前記物理層フレームは、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）３．０で規定される物理層フレームであって、
前記第１の制御情報は、ＡＴＳＣ３．０で規定されるＬ１基本情報（Ｌ１−Ｂａｓｉｃ）であり、
前記第２の制御情報は、ＡＴＳＣ３．０で規定されるＬ１詳細情報（Ｌ１−Ｄｅｔａｉｌ）であり、
前記サブフレームには、当該サブフレームの境界のシンボルであるＳＢＳ（Ｓｕｂｆｒａｍｅ  Ｂｏｕｎｄａｒｙ  Ｓｙｍｂｏｌ）が含まれる
請求項３に記載の送信装置。
【請求項８】
送信装置のデータ処理方法において、
前記送信装置が、
物理層フレームに含まれるサブフレームのセルのうち、Ｎｕｌｌセルの数を示すＮｕｌｌセル数を含むシグナリングを生成し、
前記シグナリングを、前記物理層フレームのプリアンブルに含まれるように処理する
ステップを含むデータ処理方法。
【請求項９】
物理層フレームのプリアンブルに含まれるシグナリングであって、前記物理層フレームに含まれるサブフレームのセルのうち、Ｎｕｌｌセルの数を示すＮｕｌｌセル数を含む前記シグナリングを処理する処理部を備える
受信装置。
【請求項１０】
前記処理部は、伝送路を介して伝送されてくる受信信号に含まれる、物理層の系列のデータをデコードして、前記シグナリングに含まれる前記Ｎｕｌｌセル数を解読する
請求項９に記載の受信装置。
【請求項１１】
前記処理部により解読された前記Ｎｕｌｌセル数を用いて、周波数方向のデインターリーブを行う周波数デインターリーブ部から有効なデータを取り出して、後段の処理部に出力する
請求項１０に記載の受信装置。
【請求項１２】
前記Ｎｕｌｌセル数は、前記サブフレームの全てのセルの数を示すトータルデータセル数から、前記サブフレームの有効なデータのセルの数を示すアクティブデータセル数を減算することで得られるセル数である
請求項９に記載の受信装置。
【請求項１３】
前記シグナリングは、第１の制御情報と、前記第１の制御情報の後に読み出される第２の制御情報を含み、
前記Ｎｕｌｌセル数は、前記第１の制御情報又は前記第２の制御情報に含まれる
請求項１２に記載の受信装置。
【請求項１４】
前記物理層フレームには、１以上のサブフレームが含まれ、
先頭のサブフレームのＮｕｌｌセル数は、前記第１の制御情報に含まれ、
先頭のサブフレーム以外の残りのサブフレームのＮｕｌｌセル数は、前記第２の制御情報に含まれる
請求項１３に記載の受信装置。
【請求項１５】
前記第１の制御情報は、前記第２の制御情報と比べて、データのサイズが小さく、かつ、よりロバストに伝送される
請求項１４に記載の受信装置。
【請求項１６】
前記シグナリングは、前記Ｎｕｌｌセル数の代わりに、前記アクティブデータセル数、又は前記Ｎｕｌｌセル数の１／２の数を含み、
前記処理部は、前記アクティブデータセル数、又は前記Ｎｕｌｌセル数の１／２の数を含む前記シグナリングを処理する
請求項１２に記載の受信装置。
【請求項１７】
前記物理層フレームは、ＡＴＳＣ３．０で規定される物理層フレームであって、
前記第１の制御情報は、ＡＴＳＣ３．０で規定されるＬ１基本情報（Ｌ１−Ｂａｓｉｃ）であり、
前記第２の制御情報は、ＡＴＳＣ３．０で規定されるＬ１詳細情報（Ｌ１−Ｄｅｔａｉｌ）であり、
前記サブフレームには、当該サブフレームの境界のシンボルであるＳＢＳ（Ｓｕｂｆｒａｍｅ  Ｂｏｕｎｄａｒｙ  Ｓｙｍｂｏｌ）が含まれる
請求項１３に記載の受信装置。
【請求項１８】
受信装置のデータ処理方法において、
前記受信装置が、
物理層フレームのプリアンブルに含まれるシグナリングであって、前記物理層フレームに含まれるサブフレームのセルのうち、Ｎｕｌｌセルの数を示すＮｕｌｌセル数を含む前記シグナリングを処理する
ステップを含むデータ処理方法。
【国際調査報告】
2017130724.tif 000029
2017130724.tif 000030
2017130724.tif 000031
2017130724.tif 000032